(57)【要約】【課題】複数の表示パネルの引出配線が簡素に接続され、駆動制御を容易に行うことができる積層型表示装置を提供する。【解決手段】最も外側に配置されている第１の表示パネル１０と第２の表示パネル２０は、互いの表示素子１６，２６及び引出配線１４，２４が形成されている面が対向するとともに、第１の表示パネルの引出配線が第２の表示パネルの一端部より突出するように配置されており、積層された各表示パネルは、互いの表示素子の間が絶縁状態で離間するとともに、第１の表示パネル以外の各表示パネル２０，３０の引出配線の一端部が、該引出配線より突出し、他の表示パネルを介さずに対向する別の表示パネルの引出配線と導電性材料５３，５５を介して接続されていることにより、第１の表示パネル以外の各表示パネルの引出配線が、第１の表示パネルの引出配線と電気的に接続されていることを特徴とする積層型表示装置４１。【選択図】図４
2008107628.tif 000002
【特許請求の範囲】
【請求項１】
表示パネルが２つ以上積層された積層型表示装置であって、
前記各表示パネルは、それぞれ基板上に、電極を含む表示素子と、該表示素子の電極に接続する引出配線が形成されており、
最も外側に配置されている第１の表示パネルと第２の表示パネルは、互いの表示素子及び引出配線が形成されている面が対向するとともに、前記第１の表示パネルの引出配線が前記第２の表示パネルの一端部より突出するように配置されており、
前記積層された各表示パネルは、互いの表示素子の間が絶縁状態で離間するとともに、前記第１の表示パネル以外の各表示パネルの引出配線の一端部が、該引出配線より突出し、他の表示パネルを介さずに対向する別の表示パネルの引出配線と導電性材料を介して接続されていることにより、前記第１の表示パネル以外の各表示パネルの引出配線が、前記第１の表示パネルの引出配線と電気的に接続されていることを特徴とする積層型表示装置。
【請求項２】
前記第１の表示パネルと第２の表示パネルとの間に、少なくとも１つの中間の表示パネルが配置されており、
前記表示素子及び引出配線が形成されている面が対向する表示パネル同士は、一方の表示パネルの引出配線が他方の表示パネルの一端部より突出し、
前記表示素子及び引出配線が形成されている面が同じ方向に向く表示パネル同士は、前記表示素子及び引出配線が形成されていない面側に配置された表示パネルの引出配線が、他方の表示パネルの一端部より突出し、
前記第１の表示パネルと第２の表示パネルの各引出配線は、前記中間の表示パネルの一端部より突出するように配置されていることを特徴とする請求項１に記載の積層型表示装置。
【請求項３】
前記第１の表示パネルの基板上に、前記第１の表示パネルの表示素子と接続する引出配線とは別に、前記第１の表示パネルの表示素子と絶縁した他の表示パネル用の引出配線が形成されており、前記第１の表示パネル以外の他の表示パネルの引出配線の一端部が、前記他の表示パネル用の引出配線と接続されていることを特徴とする請求項１又は請求項２に記載の積層型表示装置。
【請求項４】
前記基板が、可撓性を有するものであることを特徴とする請求項１ないし請求項３のいずれか一項に記載の積層型表示装置。
【請求項５】
前記接続する引出配線同士は、接続する部分が圧着されていることを特徴とする請求項１ないし請求項４のいずれか一項に記載の積層型表示装置。
【請求項６】
前記各表示パネルの表示素子が、前記第１の表示パネルの引出配線を介して外部の配線と接続されることを特徴とする請求項１ないし請求項５のいずれか一項に記載の積層型表示装置。
【請求項７】
前記積層型表示装置が、パッシブマトリクス型であることを特徴とする請求項１ないし請求項６のいずれか一項に記載の積層型表示装置。
【請求項８】
前記各表示パネルが、互いの表示素子が重なり合うように積層されていることを特徴とする請求項１ないし請求項７のいずれか一項に記載の積層型表示装置。
【請求項９】
前記積層された各表示パネルが、互いの表示素子が重ならずに積層されていることを特徴とする請求項１ないし請求項７のいずれか一項に記載の積層型表示装置。
【請求項１０】
前記表示素子が、有機ＥＬ素子であることを特徴とする請求項１ないし請求項９のいずれか一項に記載の積層型表示装置。
【請求項１１】
前記有機ＥＬ素子の陽極及び陰極が、透明導電膜により形成されていることを特徴とする請求項１０に記載の積層型表示装置。
【発明の詳細な説明】
【技術分野】
【０００１】
本発明は、複数の表示パネルを積層した積層型表示装置に関する。
【背景技術】
【０００２】
近年、薄型の表示装置として、液晶ディスプレイ、プラズマディスプレイ、有機エレクトロルミネッセンス（有機ＥＬ）ディスプレイ等の開発が進んでいる。
【０００３】
このような薄型の表示装置は、基本的に、ガラス等の基板上に表示素子と引出配線を形成した表示パネルを有し、表示素子に電圧を印加して画像表示を行う。そして、カラー表示、両面表示、精細度向上等を目的として、複数の表示パネルを積層した積層型表示装置が用いられる場合がある（例えば特許文献１参照）。
【０００４】
積層型表示装置は、表示パネルの積層に伴い、配線部分が増大する。そこで、装置の省スペース化あるいはコンパクト化を目的とした積層型表示装置がいくつか提案されている。例えば、積層した２つの表示パネルの同一辺側にそれぞれ引出配線部を設けるとともに、互いの引出配線部が重ならないようにそれぞれ切り欠き部を設けた両面表示装置が提案されている（例えば特許文献２参照）。しかし、このような両面表示装置では、それぞれの表示パネルに独立した引出配線を設ける必要があり、また、３つ以上の表示パネルを備えた積層型表示装置には対応していない。
【０００５】
３つ以上の表示パネルに対応した積層型表示装置として、複数の表示パネルを各電極の端部が同方向に突出するように積層し、突出した電極端子に配線部材を接続し、駆動回路と接続する１つの表示パネルに前記配線部材を介して他の表示パネルを接続する表示装置が提案されている（特許文献３参照）。この積層型表示装置では、１つの表示パネルに設けた駆動回路により全ての表示パネルを駆動することが可能となる。しかし、全ての表示パネルに配線部材を接続するため、積層する表示パネルの数が多くなると配線が複雑になり、駆動制御も複雑となるおそれがある。
【０００６】
【特許文献１】特開２００１−４２３５３号公報
【特許文献２】特開２００５−２５７８６６号公報
【特許文献３】特開２００２−２９７０５０号公報
【発明の開示】
【発明が解決しようとする課題】
【０００７】
本発明は、複数の表示パネルの引出配線が簡素に接続され、駆動制御を容易に行うことができる積層型表示装置を提供することを目的とする。
【課題を解決するための手段】
【０００８】
上記目的を達成するため、本発明では以下の積層型表示装置が提供される。
＜１＞  表示パネルが２つ以上積層された積層型表示装置であって、
前記各表示パネルは、それぞれ基板上に、電極を含む表示素子と、該表示素子の電極に接続する引出配線が形成されており、
最も外側に配置されている第１の表示パネルと第２の表示パネルは、互いの表示素子及び引出配線が形成されている面が対向するとともに、前記第１の表示パネルの引出配線が前記第２の表示パネルの一端部より突出するように配置されており、
前記積層された各表示パネルは、互いの表示素子の間が絶縁状態で離間するとともに、前記第１の表示パネル以外の各表示パネルの引出配線の一端部が、該引出配線より突出し、他の表示パネルを介さずに対向する別の表示パネルの引出配線と導電性材料を介して接続されていることにより、前記第１の表示パネル以外の各表示パネルの引出配線が、前記第１の表示パネルの引出配線と電気的に接続されていることを特徴とする積層型表示装置。
【０００９】
＜２＞    前記第１の表示パネルと第２の表示パネルとの間に、少なくとも１つの中間の表示パネルが配置されており、
前記表示素子及び引出配線が形成されている面が対向する表示パネル同士は、一方の表示パネルの引出配線が他方の表示パネルの一端部より突出し、
前記表示素子及び引出配線が形成されている面が同じ方向に向く表示パネル同士は、前記表示素子及び引出配線が形成されていない面側に配置された表示パネルの引出配線が、他方の表示パネルの一端部より突出し、
前記第１の表示パネルと第２の表示パネルの各引出配線は、前記中間の表示パネルの一端部より突出するように配置されていることを特徴とする＜１＞に記載の積層型表示装置。
【００１０】
＜３＞  前記第１の表示パネルの基板上に、前記第１の表示パネルの表示素子と接続する引出配線とは別に、前記第１の表示パネルの表示素子と絶縁した他の表示パネル用の引出配線が形成されており、前記第１の表示パネル以外の他の表示パネルの引出配線の一端部が、前記他の表示パネル用の引出配線と接続されていることを特徴とする＜１＞又は＜２＞に記載の積層型表示装置。
【００１１】
＜４＞  前記基板が、可撓性を有するものであることを特徴とする＜１＞ないし＜３＞のいずれかに記載の積層型表示装置。
【００１２】
＜５＞  前記接続する引出配線同士は、接続する部分が圧着されていることを特徴とする＜１＞ないし＜４＞のいずれかに記載の積層型表示装置。
【００１３】
＜６＞  前記各表示パネルの表示素子が、前記第１の表示パネルの引出配線を介して外部の配線と接続されることを特徴とする＜１＞ないし＜５＞のいずれかに記載の積層型表示装置。
【００１４】
＜７＞  前記積層型表示装置が、パッシブマトリクス型であることを特徴とする＜１＞ないし＜６＞のいずれかに記載の積層型表示装置。
【００１５】
＜８＞  前記各表示パネルが、互いの表示素子が重なり合うように積層されていることを特徴とする＜１＞ないし＜７＞のいずれかに記載の積層型表示装置。
【００１６】
＜９＞  前記積層された各表示パネルが、互いの表示素子が重ならずに積層されていることを特徴とする＜１＞ないし＜７＞のいずれかに記載の積層型表示装置。
【００１７】
＜１０＞  前記表示素子が、有機ＥＬ素子であることを特徴とする＜１＞ないし＜９＞のいずれかに記載の積層型表示装置。
【００１８】
＜１１＞  前記有機ＥＬ素子の陽極及び陰極が、透明導電膜により形成されていることを特徴とする＜１０＞に記載の積層型表示装置。
【発明の効果】
【００１９】
本発明によれば、複数の表示パネルの引出配線が簡素に接続され、駆動制御を容易に行うことができる積層型表示装置が提供される。
【発明を実施するための最良の形態】
【００２０】
以下、添付の図面を参照しながら、本発明の好適な態様として、有機ＥＬ表示パネルを積層した積層型表示装置について具体的に説明する。
【００２１】
図１は、本発明に係る積層型表示装置に用いることができる表示パネルの構成の一例を示している。この表示パネル１は、基板２上に、有機ＥＬ素子として、陽極３、正孔輸送層４、発光層５、電子輸送層６、陰極７等が形成されている。各電極３，７の端部は引出配線９となっており、引出配線９を介して駆動回路に接続される。両極３，７に電界を印加することにより、両極３，７間に挟まれた有機ＥＬ層８（正孔輸送層４、発光層５、及び電子輸送層６）が発光する。
【００２２】
基板２は、有機ＥＬ表示装置に使用される公知の基板であれば特に限定されず、ガラス基板、樹脂基板等の透明又は半透明の基板のほか、金属等からなる不透明基板も使用することができる。本発明に係る積層型表示装置では、上記のような構成の表示パネル１を少なくとも２つ積層するが、例えば、両面表示装置とする場合には、最も外側に配置される表示パネルの基板を透明基板とすればよいし、片面表示装置とする場合には、片側の表示パネルの基板は金属等の不透明基板とすることができる。なお、金属製の基板を用いる場合には、電気絶縁性を確保するための絶縁層を設ける。また、積層型表示装置に可撓性を持たせる場合には、樹脂やステンレス等の可撓性を有する基板を用いる。
【００２３】
フィルム状の樹脂基板を採用する場合には、例えばポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の樹脂基板を好ましく用いることができる。
また、このような樹脂基板には、水分や酸素の透過を防止するためのガスバリア層、有機ＥＬ素子の傷付きを防止するためのハードコート層、基板の平坦性や陽極との密着性を向上するためのアンダーコート層等を適宜備えることも可能である。
【００２４】
基板２上に形成する有機ＥＬ素子も特に限定されるものではなく、例えば、スパッタによりガラス等の基板２上にＩＴＯ等の陽極３を形成した後、絶縁膜や隔壁（図示せず）を形成する。次いで、正孔輸送層４、発光層５、電子輸送層６等の有機ＥＬ層８を順次真空蒸着により成膜し、さらにＡｌ、ＭｇＡｇ等の陰極７を成膜することで有機ＥＬ素子を形成することができる。なお、例えば、両面表示装置とする場合には、陽極３及び陰極７はＩＴＯ等の透明導電膜により形成する。
【００２５】
引出配線９は有機ＥＬ素子の各電極３，７に接続するように形成され、有機ＥＬ素子は引出配線９を介して駆動制御を行う駆動回路と接続される。引出配線９は、図１に示されるように各電極３，７と同じ材料により各電極３，７から延長するように形成することができる。なお、各電極３，７とは別に、例えばＡｕ、Ｃｒ、Ａｌ、Ｃｕ等の比抵抗率が低く、化学的に安定な材料により引出配線を形成してもよい。
【００２６】
そして、本発明の積層型表示装置は、上記のように、基板上に、電極を有する表示素子及び該表示素子の電極に接続する引出配線を設けた２つ以上の表示パネルが以下のように積層されている。
最も外側に配置されている第１の表示パネルと第２の表示パネルは、互いの表示素子及び引出配線が形成されている面が対向するとともに、前記第１の表示パネルの引出配線が前記第２の表示パネルの一端部より突出するように配置されている。また、積層された各表示パネルは、互いの表示素子の間が絶縁状態で離間するとともに、第１の表示パネル以外の各表示パネルの引出配線の一端部が、該引出配線より突出し、他の表示パネルを介さずに対向する別の表示パネルの引出配線と導電性材料を介して接続されている。
上記のような構成により、各表示パネルの引出配線が簡素に接続され、第１の表示パネル以外の各表示パネルの引出配線が、第１の表示パネルの引出配線と電気的に接続された積層型表示装置となる。そして、このような積層型表示装置であれば、製造が容易となり、第１の表示パネルの引出配線を通じて駆動制御も容易となる。
【００２７】
次に、本発明に係る積層型表示装置の具体例について説明する。
図２は、本発明に係る積層型表示装置を構成する表示パネルの引出配線の接続の仕方の一例を概略的に示している。この積層型表示装置１１は、２つの表示パネル（第１の表示パネル１０及び第２の表示パネル２０）が積層されている。各表示パネル１０，２０は、基板１２，２２上に有機ＥＬ素子が設けられており、引出配線１４，２４とつながる陽極上に有機ＥＬ層１６，２６が形成されている。なお、図１で説明したように、有機ＥＬ層の上下に配置される電極（引出配線）を含めて有機ＥＬ素子（表示素子）が構成されるが、図２等では、便宜上、有機ＥＬ層１６，２６の部分を表示素子として説明する。
【００２８】
２つの表示パネル１０，２０は、互いの有機ＥＬ層１６，２６と電極を含む有機ＥＬ層素子及び引出配線１４，２４が形成されている面（素子形成面）が対向し、かつ、第１の表示パネル１０の引出配線１４が、第２の表示パネル２０より突出するように配置されている。そして、互いの表示素子１６，２６が絶縁層１８を介して絶縁状態で離間されている一方、第２の表示パネル２０の引出配線２４の一端部が、第１の表示パネル１０の引出配線１４の突出している部分と導電性材料（導電パッド）２８を介して接続されている。
上記のように各表示パネル１０，２０を配置して各引出配線１４，２４を接続するため、各表示パネル１０，２０のサイズ、引出配線１４，２４の長さ等は予め所定のサイズ（長さ）に設定しておく。なお、第１の引出配線１４と接続される第２の表示パネル２０の引出配線２４の一端部とは、末端部分に限定されず、引出配線２４は、図２に示されるように有機ＥＬ層２６の外側に位置する部分であれば末端を含まない内側の部分で対向する引出配線１４と接続してもよいし、末端を含む部分で接続してもよい。このような構成により、第１及び第２の表示パネル１０，２０の引出配線１４，２４は、第１の表示パネル１０の引出配線１４を介して外部の配線と接続することができる。
【００２９】
各表示パネルの表示素子１６，２６を絶縁状態に離間するための絶縁層１８は、公知の絶縁材料、例えば、ＳｉＯＮ、ＳｉＯ２などの無機膜、アクリル樹脂、ポリイミド樹脂、フッ素樹脂等の有機ポリマー、前記無機-有機の積層膜等を用いることができる。なお、絶縁層１８は、各表示パネル１０，２０を積層する際に表示パネル１０，２０間に設けてもよいし、積層する表示パネル１０，２０のいずれか一方あるいは両方に保護層として予め形成しておいてもよい。
【００３０】
また、引出配線１４，２４同士を接続するための導電性材料２８としては、電気的に接続することができるものであれば特に限定されず、公知の導電性材料、例えば、ＡＣＦ（異方性導電膜）、ＡＣＰ（異方性導電ペースト）、半田等を用いることができる。
【００３１】
図３は、第２の表示パネル２０の引出配線２４と第１の表示パネル１０の引出配線１４を圧着して接続した状態を示している。本発明では、引出配線１４，２４同士の接続部分が必ずしも圧着されている必要はないが、特に、各表示パネル１０，２０を構成する基板１２，２２として、樹脂、ステンレス等からなる可撓性を有する基板を採用する場合には、図３に示すように基板１２，２２の端部が湾曲して引出配線１４，２４同士を容易に圧着することができる。このように引出配線１４，２４同士を圧着すれば、確実に接続することができる。なお、圧着する場合には、導電性材料２８は、ＡＣＰ、ＡＣＦ等の導電性接着剤を好適に用いることができる。
【００３２】
図４は、３つの表示パネルを積層した積層型表示装置の一例を示している。この積層型表示装置４１では、外側に位置する第１の表示パネル１０と第２の表示パネル２０との間に、中間の表示パネルとして第３の表示パネル３０が配置されている。第２及び第３の表示パネル２０，３０は、それらの表示素子２６，３６及び引出配線２４，３４が形成されている面（素子形成面）が第１の表示パネル１０の素子形成面と対向するように同じ方向に向けられている。また、第１の表示パネル１０の引出配線１４は、第２及び第３の表示パネル２０,３０の各端部より突出し、第２の表示パネル２０の引出配線２４は、第３の表示パネル３０の一端部より突出している。
【００３３】
そして、第１及び第３の表示パネル１０，３０は、それぞれの表示素子１６，３６の間が絶縁層２９を介して絶縁状態で離間しているとともに、第３の表示パネル３０の引出配線３４の一端部が、対向する第１の表示パネル１０の引出配線１４と導電性材料５３を介して接続されている。一方、第１及び第２の表示パネル１０，２０は、それぞれの表示素子１６，２６の間が絶縁層２９及び第３の表示パネル３０を構成する基板３２を介して絶縁状態で離間している。また、第２の表示パネル２０の引出配線２４の一端部は、第３の表示パネル３０を介さずに第１の表示パネル１０の引出配線１４と対向（対面）しており、導電性材料５５を介して接続されている。このように第３及び第２の表示パネル３０，２０の引出配線３４，２４の一端部が、他の表示パネルを介さずに第１の表示パネル１０の引出配線１４と対向し、それぞれ導電性材料５３，５５を介して簡素に接続されていることより、第２及び第３の表示パネル２０，３０の引出配線２４，３４は、いずれも第１の表示パネル１０の引出配線１４と電気的に接続されている。
【００３４】
図５に示す積層型表示装置５１では、第２の表示パネル２０の素子形成面が、中間に位置する第３の表示パネル３０の素子形成面と対向するとともに、第２の表示パネル２０の引出配線２４が第３の表示パネル３０の一端部より突出している。また、第１の表示パネル１０の素子形成面は、第２の表示パネル２０の素子形成面と対向するとともに、第１の表示パネル１０の引出配線１４が第２の表示パネル２０の一端部より突出している。
そして、各表示パネル１０，２０，３０の表示素子１６，２６，３６は、絶縁層５２及び第３の表示パネル３０を構成する基板３２を介して絶縁状態で離間しているとともに、第３の表示パネル３０の引出配線３４の一端部は、該引出配線３４と対向する第２の表示パネル２０の引出配線２４と導電性材料５４を介して接続されている。また、第２の表示パネル２０の引出配線２４の一端部は、第３の表示パネル３０を介さずに第１の表示パネル１０の引出配線１４と対向し、導電性材料５６を介して接続されている。このような構成により、第２及び第３の表示パネル２０，３０の引出配線２４，３４は、簡素に接続され、いずれも第１の表示パネル１０の引出配線１４と電気的に接続されている。
【００３５】
本発明に係る積層型表示装置は、積層する表示パネルの数は限定されず、４つ以上の表示パネルを積層したものとすることもできる。
図６に示される積層型表示装置６１は、最も外側に配置される第１及び第２の表示パネル１０，２０の間に、中間の表示パネルとして、第３及び第４の表示パネル３０，４０が配置されている。第２、第３、及び第４の表示パネル２０，３０，４０は、それぞれの素子形成面が、第１の表示パネル１０の素子形成面に対向するように同じ方向に向けられているとともに、各端部が順次突出するように配置されている。各表示パネルの表示素子１６，２６，３６，４６の間は、絶縁層６２と、第３及び第４の表示パネル３０，４０を構成する基板３２，４２を介して絶縁状態で離間している。また、各表示パネル２０，３０，４０の引出配線２４，３４，４４の各端部は、他の表示パネルを介さずに第１の表示パネル１０の引出配線１４と対向しており、内側から順に導電性材料６４，６６，６８を介して簡素に接続されている。このような構成により、第１の表示パネル１０以外の全ての表示パネル２０，３０，４０の引出配線２４，３４，４４は、第１の表示パネル１０の引出配線１４と電気的に接続されている。
【００３６】
図７に示される積層型表示装置７１では、最も外側に位置する第１の表示パネル１０と第２の表示パネル２０との間に、第３及び第４の表示パネル３０，４０が配置されており、素子形成面が対向する表示パネル同士は、一方の表示パネルの引出配線が他方の表示パネルの一端部より突出し、素子形成面が同じ方向に向く表示パネル同士は、素子形成面の反対側に配置された表示パネルの引出配線が、他方の表示パネルの一端部より突出するように配置されている。そして、各表示パネル１０，２０，３０，４０の表示素子１６，２６，３６，４６の間は、絶縁層７２と、第３及び第４の表示パネル３０，４０をそれぞれ構成する基板３２，４２を介して絶縁状態で離間しており、第４の表示パネル４０の引出配線４４の一端部は、該引出配線４４と対向し、かつ、該引出配線４４より突出するように配置された第３の表示パネル３０の引出配線３４と導電性材料７４を介して接続されている。また、第３及び第２の表示パネル３０，２０の各引出配線３４，２４の一端部は、他の表示パネルを介さずに対向（対面）し、かつ、一端部が突出するように配置された第１の表示パネル１０の引出配線１４と内側から順にそれぞれ導電性材料７６，７８を介して接続されている。このような構成により各表示パネルの引出配線が簡素に接続され、第２〜第４の表示パネル２０，３０，４０の引出配線２４，３４，４４は、第１の表示パネル１０の引出配線１４と電気的に接続されている。
【００３７】
さらに、図８に示される積層型表示装置８１では、素子形成面が対向するように配置された外側の第１及び第２の表示パネル１０，２０の各引出配線１４，２４が、中間の表示パネルとなる第３及び第４の表示パネル３０，４０の素子形成面ともそれぞれ対向するとともに突出するように配置されている。この場合も、素子形成面が対向する表示パネル同士は、一方の表示パネルの引出配線が他方の表示パネルの一端部より突出し、素子形成面が同じ方向に向く表示パネル同士は、素子形成面の反対側に配置された表示パネルの引出配線が、他方の表示パネルの一端部より突出するように配置されている。そして、各表示パネル１０，２０，３０，４０の表示素子１６，２６，３６，４６の間は、絶縁層８２，８３と、第３及び第４の表示パネル３０，４０をそれぞれ構成する基板３２，４２を介して絶縁状態で離間しており、第３及び第４の表示パネル３０，４０の各引出配線３４，４４の一端部は、それぞれ第１及び第３の表示パネル１０，３０の引出配線１４，２４と直線的に導電性材料８４，８５を介して接続されている。また、第２の表示パネル２０の引出配線２４の一端部は、第３及び第４の表示パネル３０，４０を介さずに、直接向き合う第１の表示パネル１０の引出配線１４の部分と導電性材料８６を介して直線的に接続されている。このような構成により、各表示パネルの引出配線１４，２４，３４，４４が簡素に接続され、第１の表示パネル１０以外の全ての表示パネル２０，３０，４０の引出配線２４，３４，４４が第１の表示パネル１０の引出配線１４と電気的に接続されている。
なお、図４〜図８に示した例でも、接続する引出配線同士は、接続する部分が圧着されることが好ましい。
【００３８】
上記のように、本発明に係る積層型表示装置は、最も外側に配置されている２つの表示パネルが、互いの表示素子及び引出配線が形成されている面が対向するとともに、一方の表示パネルの引出配線が、他の表示パネルの一端部より突出するように配置されている。また、積層された各表示パネルは、互いの表示素子の間が絶縁層等を介して絶縁状態で離間するとともに、引出配線が最も突出する外側の表示パネル以外の各表示パネルの引出配線の一端部が、該引出配線より突出し、他の表示パネルを介さずに対向（対面）する別の表示パネルの引出配線と導電性材料を介して直線的に接続されている。このような構成により、各表示パネルの引出配線が簡素に接続され、引出配線が最も突出する外側の表示パネルと電気的に接続されている。特に、可撓性を有する基板を用いた表示パネルを積層する場合には、引出配線同士の一端部を圧着することができ、それにより確実に接続することができる。このような積層型表示装置であれば、各表示パネルの引出配線が簡素に接続されており、駆動制御が容易となる。また、製造も容易となり、コストを低く抑えることができる。
【００３９】
上記の図２〜８では、各表示パネルの陽極側の引出配線が接続されている場合について説明したが、本発明では、陽極及び陰極の少なくともいずれか一方の引出配線が上記のように接続されていれば、配線が簡素化され、製造及び駆動制御が容易となる。以下、フルカラー表示が可能なパッシブマトリクス型の積層型表示装置についてより具体的に説明する。
図９〜図１５は、３つの表示パネルを用いた本発明に係る積層型表示装置を製造する手順を示している。
図９は、レッド（Ｒ）用の表示パネル９０（以下「Ｒ表示パネル」という）を示している。フィルム状の樹脂基板９１（フィルム基板）上には、ＩＴＯからなる透明な陽極が所定の間隔で形成され、陽極上にレッド用の有機ＥＬ層９３が形成されている。さらに、有機ＥＬ層９３上には、それと直交する方向にＩＴＯからなる透明な陰極９２が形成されており、さらに有機ＥＬ素子を保護するための絶縁層９８が形成されている。各電極は、それぞれＩＴＯ端子部（引出配線）９５，９４と接続している。さらに、基板９１上には、Ｒ表示パネル９０の表示素子９３と接続する引出配線９４，９５とは別に、Ｒ表示パネル９０の表示素子９３と接続する引出配線９５と絶縁した引出配線９６，９７が所定の間隔で形成されている。これらの引出配線９６，９７は、後述の他の２つの表示パネルの引出配線（陽極端子）と接続される。
【００４０】
図１０は、グリーン（Ｇ）用の表示パネル１００（以下「Ｇ表示パネル」という）を示している。フィルム基板１０１上には、ＩＴＯからなる透明な陽極が形成され、陽極上にはグリーン用の有機ＥＬ層１０３が形成されている。また、有機ＥＬ層１０３上には、それと直交する方向にＩＴＯからなる透明な陰極１０２が形成され、さらに絶縁層１０８が形成されている。また、各電極には、Ｒ表示パネル９０と同様、ＩＴＯ端子部（引出配線）１０５，１０４がそれぞれ接続されている。
【００４１】
図１１は、Ｒ表示パネル９０とＧ表示パネル１００を、各引出配線を同じ方向に向けて積層した状態を示している。図１０（ａ）に示したＧ表示パネル１００を裏返して、Ｇ表示パネル１００の素子形成面（表示素子１０３及び引出配線１０４，１０５）が、Ｒ表示パネル９０の素子形成面（表示素子９３及び引出配線９４，９５）と対向するように積層されている。Ｒ表示パネル９０の陰極用の引出配線９４の一端部（陰極端子）は、Ｇ表示パネル１００より突出している。一方、Ｇ表示パネル１００の陽極用の引出配線（陽極端子）１０５は、Ｒ表示パネル９０の基板９１上に予め形成された突出する引出配線（陽極端子）９６と圧着される。
【００４２】
図１２は、ブルー（Ｂ）用の表示パネル１１０（以下「Ｂ表示パネル」という）を示している。フィルム基板１１１上には、ＩＴＯからなる透明な陽極が形成されている。陽極上にはブルー用の有機ＥＬ層１１３が形成されている。また、Ｒ表示パネル９０と同様、ＩＴＯからなる透明な陰極１１２と絶縁層１１８が順次積層するように形成されており、各電極には、それぞれＩＴＯ端子部（引出配線）１１５，１１４が接続している。
【００４３】
図１３は、図１１に示すＲ表示パネル９０とＧ表示パネル１００を積層したものに、さらにＢ表示パネル１１０を積層した積層型表示装置を示している。図１２（ａ）に示したＢ表示パネル１１０を裏返して、表示素子１１３及び引出配線１１４，１１５が形成されている面が、それぞれＲ表示パネル９０の表示素子９３及び引出配線９４，９５が形成されている面と対向するように積層されている。また、Ｒ表示パネル９０の陰極用の引出配線９４の一端部（陰極端子）は、Ｂ表示パネル１１０の一端部から突出し、Ｂ表示パネル１１０の陽極用の引出配線の一端部（陽極端子）１１５は、Ｒ表示パネル９０の基板９１上に予め形成された引出配線９７と圧着される。このようにして３つの表示パネル９０，１００，１１０は、各表示パネル９０，１００，１１０の表示素子９３，１０３，１１３が重ならずに積層された積層表示パネル１２０となる。
【００４４】
図１４は、各表示パネル９０，１００，１１０の陰極用の引出配線（陰極端子）の位置関係と接続状態を示している。図１４に示されるように、Ｇ表示パネル１００の引出配線１０４の一端部が、それよりも突出しているＲ表示パネル９０の引出配線９４と圧着され、さらにＢ表示パネル１１０の引出配線１１４の一端部は、それよりも突出するＲ表示パネル９０の引出配線９４と圧着される。このように陰極用の引出配線１０４，１１４の一端部を、それよりも突出し、対向する引出配線９４と直線的にそれぞれ接続することで、Ｇ、Ｂの各表示パネル１００，１１０の陰極用の引出配線１０４，１１４はＲ表示パネル９０の引出配線９４と電気的に接続されることになる。そして、Ｒ表示パネル９０の陰極用の引出配線９４の一端部が突出しているため、各表示パネルの重なっている陰極（引出配線）９２，１０２，１１２は、Ｒ表示パネル９０の引出配線９４の突出している部分を介して外部の配線と接続することができる。
【００４５】
一方、Ｂ表示パネル１００とＧ表示パネル１１０の各陽極用の引出配線（陽極端子）１０５，１１５の一端部は、前記したようにＲ表示パネル９０の表示素子９３と絶縁した他の表示パネル用の引出配線９６，９７とそれぞれ接続されている。従って、図１５に示すように各表示パネル９０，１００，１１０の陽極用の引出配線９５，９６，９７を外部の配線１３２と接続することにより、各表示パネルの表示素子９３，１０３，１１３の駆動を独立して制御することが可能なパッシブマトリクス型の積層型表示装置１３０となる。このようなパッシブマトリクス型の積層型表示装置１３０であれば、配線の接続が簡素化されているため、駆動制御が容易となり、また、低コストで製造することができる。
【００４６】
上記の積層型表示装置１３０では、３つの表示パネルの表示素子９３，１０３，１１３が重ならずに積層されているが、各表示パネルの表示素子が重なり合うように積層することもできる。
図１６は、レッド（Ｒ）、グリーン（Ｇ）、ブルー（Ｂ）の各表示素子を形成する場合のそれぞれの陽極（ＩＴＯ）パターンの一例を示している。各基板１４０，１５０，１６０上には、陽極パターン１４１、１５１，１６１が重なるように形成されており、さらに、陽極用の引出配線１４２，１５２，１６２と、陰極用の引出配線１４５，１５５，１６５がそれぞれ形成されている。また、Ｒ表示パネルの基板１４０上には、Ｇ表示パネル及びＢ表示パネル用の引出配線１４３，１４４も形成されている。
【００４７】
次いで、図１７に示すように、各陽極１４１，１５１，１６１上には、それぞれ対応した色の有機ＥＬ層１４６，１５６，１６６が形成され、さらに、陽極と直交する方向に陰極１４７，１５７，１６７が形成される。Ｇ表示パネル１５８とＢ表示パネル１６８をそれぞれ裏返して、図１８〜図２０に示されるように、各表示素子１４６，１５６，１６６が重なり合うようにＲ表示パネル１４８に順次積層する。なお、図１９に示されるように、各表示パネル１４８，１５８，１６８の最外層には絶縁層１４９，１５９，１６９が形成されている。そして、Ｂ表示パネル１６８の陽極用の引出配線１６２は、Ｒ表示パネル１４８に予め形成された表示パネル用の引出配線１４４と圧着される。同様に、Ｇ表示パネル１５８の陽極用の引出配線１５２も、Ｒ表示パネル１４８に予め形成されたＧ表示パネル用の引出配線１４３と圧着される。
【００４８】
一方、各表示パネル１４８，１５８，１６８の陰極用の引出配線１４５，１５５，１６５は、図２０に示すように、Ｇ表示パネル１５８及びＢ表示パネル１６８の各引出配線１５５，１６５の一端部が、それぞれ対向配置されているＲ表示パネルの引出配線１４５と圧着される。このような引出配線の配置と接続により、各表示パネル１４８，１５８，１６８において、表示素子１４６，１５６，１６６が重なっている陰極１４７，１５７，１６７が電気的に接続されることになる。そして、この場合も、Ｒ表示パネルの引出配線１４５の一端部が突出しているため、各表示パネルの引出配線の陰極１４７，１５７，１６７は、Ｒ表示パネルの引出配線１４５の突出している部分を介して外部の配線と接続することができる。
【００４９】
前記したように、この積層型表示装置１７０も、陽極用の引出配線１４２，１５２，１６２は電気的に接続されていないため、各表示パネル１４８，１５８，１６８の表示素子１４６，１５６，１６６の駆動を独立して制御することでき、また、各表示パネル１４８，１５８，１６８の表示素子１４６，１５６，１６６が重なり合うように積層されているため、高精細の表示が可能である。
【００５０】
本発明に係る積層型表示装置は、他の方法により製造することもできる。
例えば、図２１に示すように、１枚の基板１８１上に、ＲとＢに対応した有機ＥＬ素子１８２，１８３と、３色（ＲＧＢ）の素子に対応した引出配線１８４，１８５，１８６をそれぞれ形成した表示パネル（ＲＢ表示パネル）１８０を作製する。一方、図２２に示すように他の基板１９１上にＧに対応した素子１９２を有するＧ表示パネル１９０を作製する。Ｇ表示パネル１９０とＲＧ表示パネル１８０を、それぞれの素子形成面が対向するとともに、それぞれの表示素子１８２，１８３，１９２が同じ方向に向くように重ね合わせる。そして、Ｇ表示パネル１９０の陰極用の引出配線１９７の一端部（陰極端子）を、ＲＧ表示パネル１８０の対応する引出配線１８７と圧着させる。これにより、ＲＢ表示パネル１８０の陰極用の引出配線１８７を介して、各表示パネル１８０，１９０の陰極を制御することができる。一方、Ｇ表示パネル１９０の陽極用の引出配線（陽極端子）１９６を、ＲＢ表示パネル１８０上に予め形成したＧ表示パネル用の引出配線１８６と、ＲＢの各素子１８２，１８３とは別に接続する。各表示パネル１８０，１９０の陽極用の引出配線１８４，１８５，１８６は絶縁されているため、各表示素子１８２，１８３，１９２を独立して制御することができる。
【００５１】
本発明は、有機ＥＬ素子の陽極及び陰極が透明導電膜により形成されている場合に限らず、不透明な電極を用いる場合にも適用することができる。
図２３は、不透明な陰極を用いた積層型表示装置の一例を示している。各表示パネルにおいて不透明な陰極を用いると、１画素２０９における開口率は多少小さくなるものの、各表示パネルの陰極２０４，２０５，２０６が重ならないように積層することでフルカラー表示が可能である。そして、同方向の隣接する３色の表示素子２０１，２０２，２０３の引出配線２１１，２１２，２１３の一端部が、各々の引出配線と対向し、かつ、該引出配線より突出するように配置された他の表示パネルの引出配線と圧着領域２１４において接続する。一方、陽極に関しては、図１５に示した積層型表示装置１３０と同様に、各表示素子２０１，２０２，２０３を、最も外側に突出し、それぞれ絶縁状態で形成されている引出配線２１５，２１６，２１７にそれぞれ接続する。このような積層型表示装置２００であれば、各表示パネルの引出配線が簡素に接続されており、また、陽極用の引出配線２１５，２１６，２１７は独立して外部の配線２０８と接続されているので、各表示パネルの表示素子を独立して制御することができる。
【００５２】
以上、本発明について説明したが、本発明は上記実施形態及び実施例に限定されるものではない。例えば、上記実施形態では、パッシブマトリクス型の有機ＥＬ表示装置について説明したが、本発明は、アクティブマトリクス型の積層型表示装置にも適用できるし、表示もフルカラー表示に限らず、例えばエリアカラー表示とすることもできる。また、両面表示装置としてもよいし、片面表示装置としてもよい。
さらに、本発明は、有機ＥＬ素子を形成した表示パネルを積層する場合に限定されず、電界の印加により発光するか、光学特性が変化する表示素子、例えば無機ＥＬ素子、液晶表示素子、プラズマ素子、電気泳動素子などを形成した表示パネルを積層する積層型表示装置にも適用することができる。
【図面の簡単な説明】
【００５３】
【図１】有機ＥＬ表示パネルの構成の一例を示す概略図である。
【図２】本発明に係る積層型表示装置の表示パネルの配置と接続状態の一例を示す概略図である。
【図３】図２に示す各表示パネルの引出配線を圧着した状態を示す概略図である。
【図４】本発明に係る積層型表示装置を構成する表示パネルの配置と接続状態の他の例を示す概略図である。
【図５】本発明に係る積層型表示装置を構成する表示パネルの配置と接続状態のさらに他の例を示す概略図である。
【図６】本発明に係る積層型表示装置を構成する表示パネルの配置と接続状態のさらに他の例を示す概略図である。
【図７】本発明に係る積層型表示装置を構成する表示パネルの配置と接続状態のさらに他の例を示す概略図である。
【図８】本発明に係る積層型表示装置を構成する表示パネルの配置と接続状態のさらに他の例を示す概略図である。
【図９】本発明に係る積層型表示装置を構成するＲ表示パネルの一例を示す概略図である。（ａ）平面図  （ｂ）Ａ−Ａ´線断面図
【図１０】本発明に係る積層型表示装置を構成するＧ表示パネルの一例を示す概略図である。（ａ）平面図  （ｂ）Ｂ−Ｂ´線断面図
【図１１】Ｒ表示パネルとＧ表示パネルを積層した状態を示す概略図である。（ａ）平面図  （ｂ）Ｃ−Ｃ´線断面図
【図１２】本発明に係る積層型表示装置を構成するＢ表示パネルの一例を示す概略図である。（ａ）平面図  （ｂ）Ｄ−Ｄ´線断面図
【図１３】ＲＧＢの各表示パネルを積層した状態を示す概略図である。（ａ）平面図  （ｂ）Ｅ−Ｅ´線断面図
【図１４】図１３に示す積層したＲＧＢの各表示パネルのＥ−Ｅ´線断面を示す概略図である。
【図１５】図１４に示す積層した表示パネルに外部の配線を接続した状態を示す概略図である。
【図１６】各表示パネルの陽極パターンの一例を示す概略図である。（ａ）Ｒ表示パネル  （ｂ）Ｇ表示パネル  （ｃ）Ｂ表示パネル
【図１７】表示素子と陰極を形成した各表示パネルを示す概略図である。（ａ）Ｒ表示パネル  （ｂ）Ｇ表示パネル  （ｃ）Ｂ表示パネル
【図１８】ＲＧＢの各表示パネルを各表示素子が重なるように積層した積層表示パネルを示す概略図である。
【図１９】図１８に示すＧ−Ｇ´線断面を示す図である。
【図２０】図１８に示すＨ−Ｈ´線断面を示す図である。
【図２１】１枚の基板上にＲＢの各表示素子を形成した表示パネルを示す概略平面図である。
【図２２】図２１の表示パネルに積層するＧ表示素子を形成した表示パネルを示す概略平面図である。
【図２３】不透明な陰極を用いた積層型表示装置の一例を示す概略平面図である。
【符号の説明】
【００５４】
１・・・有機ＥＬ表示パネル
２・・・基板
３・・・陽極
７・・・陰極
８・・・有機ＥＬ層
９・・・引出配線
１０，２０，３０，４０・・・表示パネル
１１，４１，５１，６１，７１，８１・・・積層型表示装置
１２，２２，３２，４２・・・基板
１４，２４，３４，４４・・・引出配線（電極）
１６，２６，３６，４６・・・有機ＥＬ層
１８，２９，５２，６２，７２，８２，８３・・・絶縁層
２８，５３，５４，５５，５６，６４，６６，６８・・・導電性材料
９０・・・Ｒ表示パネル
１００・・・Ｇ表示パネル
１１０・・・Ｂ表示パネル
１３０・・・積層型表示装置（パッシブマトリックス型）
【図１】
2008107628.tif 000003
【図２】
2008107628.tif 000004
【図３】
2008107628.tif 000005
【図４】
2008107628.tif 000006
【図５】
2008107628.tif 000007
【図６】
2008107628.tif 000008
【図７】
2008107628.tif 000009
【図８】
2008107628.tif 000010
【図９】
2008107628.tif 000011
【図１０】
2008107628.tif 000012
【図１１】
2008107628.tif 000013
【図１２】
2008107628.tif 000014
【図１３】
2008107628.tif 000015
【図１４】
2008107628.tif 000016
【図１５】
2008107628.tif 000017
【図１６】
2008107628.tif 000018
【図１７】
2008107628.tif 000019
【図１８】
2008107628.tif 000020
【図１９】
2008107628.tif 000021
【図２０】
2008107628.tif 000022
【図２１】
2008107628.tif 000023
【図２２】
2008107628.tif 000024
【図２３】
2008107628.tif 000025